(57)【要約】【課題】第１ワイヤハーネスの長手方向に第２ワイヤハーネスが相対移動してしまうことを防止することができる連結具を提供すること。【解決手段】ベースワイヤハーネス２とオプションワイヤハーネス３とを連結固定するための連結具１であって、被連結部４を有しベースワイヤハーネス２に対して固定される第１連結具５と、被連結部４に組み付けられる連結部６を有しオプションワイヤハーネス３に対して固定される第２連結具７とを備える。連結部６は、ベースワイヤハーネス２の長手方向から見て該ベースワイヤハーネス２の外表面に沿った方向から被連結部４に組み付けられて、ベースワイヤハーネス２の長手方向に被連結部４と係合する。【選択図】図１
2019161728.tif 000002
【特許請求の範囲】
【請求項１】
第１ワイヤハーネスと第２ワイヤハーネスとを連結固定するための連結具であって、
被連結部を有し前記第１ワイヤハーネスに対して固定される第１連結具と、
前記被連結部に組み付けられる連結部を有し前記第２ワイヤハーネスに対して固定される第２連結具と
を備え、
前記連結部は、前記第１ワイヤハーネスの長手方向から見て該第１ワイヤハーネスの外表面に沿った方向から前記被連結部に組み付けられて、前記第１ワイヤハーネスの長手方向に前記被連結部と係合することを特徴とする連結具。
【請求項２】
前記連結部と前記被連結部とのいずれか一方には他方と係合して組み付けられた状態からの抜け止めとして機能する係止爪が設けられたことを特徴とする請求項１に記載の連結具。
【請求項３】
前記連結部は、前記第１ワイヤハーネスの長手方向から見て該第１ワイヤハーネスの外表面に沿った方向の直交方向に位置がずれている状態からの前記被連結部への組み付けを案内する案内部を有することを特徴とする請求項１又は２に記載の連結具。
【請求項４】
前記案内部は、前記第１ワイヤハーネスの外表面に摺接して案内するハーネス摺接案内部を含むことを特徴とする請求項３に記載の連結具。
【請求項５】
前記ハーネス摺接案内部は、前記連結部における前記第１ワイヤハーネスの長手方向に対応した両端に設けられたことを特徴とする請求項４に記載の連結具。
【発明の詳細な説明】
【技術分野】
【０００１】
本発明は、ワイヤハーネス同士を連結する連結具に関するものである。
【背景技術】
【０００２】
車両等に配策されるワイヤハーネスとしては、基準となるベースワイヤハーネスに、車両のグレード等によってオプションワイヤハーネスを追加して設けるアドオン方式が採用される場合がある。このような場合、車体に対して固定されるベースワイヤハーネスに対してオプションワイヤハーネスを連結固定することで、オプションワイヤハーネスを間接的に車体に対して固定する方法がとられている。そして、ベースワイヤハーネスに対してオプションワイヤハーネスを連結固定する構成としては、テープ巻きの他に、オプションワイヤハーネスに挟持アームを有する結束具を設けるものがある（例えば、特許文献１参照）。挟持アームは、２つ１組でベースワイヤハーネスの径方向外側から組み付けられて該ベースワイヤハーネスを挟んで抱えるように設けられるとともに、ベースワイヤハーネスの長手方向に２組設けられ、それらの組同士の間にベースワイヤハーネスに固定されたバンドクリップが介在されるように組み付けられる。
【先行技術文献】
【特許文献】
【０００３】
【特許文献１】特開２０１６−２０１３３６号公報
【発明の概要】
【発明が解決しようとする課題】
【０００４】
しかしながら、上記のような結束具を用いる構成では、テープ巻きの作業のような手数がかからないものの、挟持アームとバンドクリップとのクリアランスや撓む必要のある挟持アームの強度等が関係して、ベースワイヤハーネスの長手方向にオプションワイヤハーネスが相対移動してしまう（ずれてしまう）虞があった。なお、このことは、例えばオプションワイヤハーネスが他の部品と接触してしまうといった原因となる。
【０００５】
本発明は、上記課題を解決するためになされたものであって、その目的は、第１ワイヤハーネスの長手方向に第２ワイヤハーネスが相対移動してしまうことを防止することができる連結具を提供することにある。
【課題を解決するための手段】
【０００６】
上記課題を解決する連結具は、第１ワイヤハーネスと第２ワイヤハーネスとを連結固定するための連結具であって、被連結部を有し前記第１ワイヤハーネスに対して固定される第１連結具と、前記被連結部に組み付けられる連結部を有し前記第２ワイヤハーネスに対して固定される第２連結具とを備え、前記連結部は、前記第１ワイヤハーネスの長手方向から見て該第１ワイヤハーネスの外表面に沿った方向から前記被連結部に組み付けられて、前記第１ワイヤハーネスの長手方向に前記被連結部と係合する。
【０００７】
同構成によれば、第１ワイヤハーネスに対して固定される第１連結具が有する被連結部に、第２ワイヤハーネスに対して固定される第２連結具が有する連結部が組み付けられることで第１ワイヤハーネスと第２ワイヤハーネスとが連結固定される。そして、前記連結部は、第１ワイヤハーネスの長手方向から見て該第１ワイヤハーネスの外表面に沿った方向から前記被連結部に組み付けられて、第１ワイヤハーネスの長手方向に被連結部と係合するため、第１ワイヤハーネスの長手方向に第２ワイヤハーネスが相対移動してしまうことが防止される。
【０００８】
上記連結具において、前記連結部と前記被連結部とのいずれか一方には他方と係合して組み付けられた状態からの抜け止めとして機能する係止爪が設けられることが好ましい。
同構成によれば、前記連結部と前記被連結部とのいずれか一方には他方と係合して組み付けられた状態からの抜け止めとして機能する係止爪が設けられるため、第１ワイヤハーネスの外表面に沿った方向に第２ワイヤハーネスが相対移動してしまうことが防止される。
【０００９】
上記連結具において、前記連結部は、前記第１ワイヤハーネスの長手方向から見て該第１ワイヤハーネスの外表面に沿った方向の直交方向に位置がずれている状態からの前記被連結部への組み付けを案内する案内部を有することが好ましい。
【００１０】
同構成によれば、前記連結部は、前記第１ワイヤハーネスの長手方向から見て該第１ワイヤハーネスの外表面に沿った方向の直交方向に位置がずれている状態からの前記被連結部への組み付けを案内する案内部を有するため、組み付け作業が容易となる。
【００１１】
上記連結具において、前記案内部は、前記第１ワイヤハーネスの外表面に摺接して案内するハーネス摺接案内部を含むことが好ましい。
同構成によれば、前記案内部は、前記第１ワイヤハーネスの外表面に摺接して案内するハーネス摺接案内部を含むため、連結部のハーネス摺接案内部を第１ワイヤハーネスの外表面に摺接させながら案内させて組み付けることができ、組み付け作業が容易となる。
【００１２】
上記連結具において、前記ハーネス摺接案内部は、前記連結部における前記第１ワイヤハーネスの長手方向に対応した両端に設けられることが好ましい。
同構成によれば、前記ハーネス摺接案内部は、前記連結部における前記第１ワイヤハーネスの長手方向に対応した両端に設けられるため、連結部の一対のハーネス摺接案内部を第１ワイヤハーネスの外表面に摺接させながら安定して案内させて組み付けることができ、組み付け作業がより容易となる。
【発明の効果】
【００１３】
本発明の連結具によれば、第１ワイヤハーネスの長手方向に第２ワイヤハーネスが相対移動してしまうことを防止することができる。
【図面の簡単な説明】
【００１４】
【図１】一実施形態の複合ワイヤハーネスの平面図。
【図２】一実施形態の複合ワイヤハーネスの一部断面図。
【図３】一実施形態の第１連結具の一部断面図。
【図４】一実施形態の第１連結具の平面図。
【図５】一実施形態の第２連結具の正面図。
【図６】一実施形態の第２連結具の斜視図。
【図７】一実施形態の第２連結具の斜視図。
【図８】一実施形態の連結具の組み付けを説明するための説明図。
【発明を実施するための形態】
【００１５】
以下、連結具にて連結固定された複合ワイヤハーネスの一実施形態について、図１〜図８に従って説明する。
図１及び図２に示すように、連結具１は、車両に配策される第１ワイヤハーネスとしてのベースワイヤハーネス２に第２ワイヤハーネスとしてのオプションワイヤハーネス３を連結固定して複合ワイヤハーネスを構成するものである。なお、本実施形態のベースワイヤハーネス２及びオプションワイヤハーネス３は、断面が略円形に形成されたものであって、オプションワイヤハーネス３はベースワイヤハーネス２よりも直径が小さく設定されている。
【００１６】
連結具１は、被連結部４を有しベースワイヤハーネス２に対して固定される第１連結具５と、前記被連結部４に組み付けられる連結部６を有しオプションワイヤハーネス３に対して固定される第２連結具７とを備える。
【００１７】
そして、連結部６は、ベースワイヤハーネス２の長手方向から見て（図２参照）該ベースワイヤハーネス２の外表面に沿った方向（本実施形態では外周の接線に沿った方向）から被連結部４に組み付けられて、ベースワイヤハーネス２の長手方向（図２中、紙面直交方向）に被連結部４と係合するように構成されている。
【００１８】
詳しくは、図３及び図４に示すように、第１連結具５は、前記被連結部４と、ベースワイヤハーネス２に固定される結束バンド部８とを有する。結束バンド部８は、内面に爪部８ａを有する略四角筒状のバンド係止ボックス部８ｂと、バンド係止ボックス部８ｂの背面（図３及び図４中、右側の面）から延びるバンド部８ｃとを有し、バンド部８ｃをベースワイヤハーネス２に巻回させてその先端をバンド係止ボックス部８ｂに挿入して締め上げることでベースワイヤハーネス２に固定される。被連結部４は、バンド係止ボックス部８ｂの正面側から両側（図４中、上下側）に突出する正面側突出部４ａとバンド係止ボックス部８ｂの背面側から両側に突出する背面側突出部４ｂとを有し、正面側突出部４ａとバンド係止ボックス部８ｂの側面と背面側突出部４ｂとによって形成される組み付け溝４ｃを有する。また、被連結部４は、バンド係止ボックス部８ｂの正面から突出する係止爪４ｄを有する。
【００１９】
また、図５〜図７に示すように、第２連結具７は、前記連結部６と、オプションワイヤハーネス３に固定されるハーネス固定部９とを有する。ハーネス固定部９は、板状に形成され、連結部６の側面（図１中、下側の面）からオプションワイヤハーネス３の長手方向の一方（図１中、下方）に沿って延び、オプションワイヤハーネス３と共にテープ１０で巻回されることで該オプションワイヤハーネス３に固定されている。連結部６は、前記バンド係止ボックス部８ｂの正面と対向する基壁６ａと、該基壁６ａから突出してバンド係止ボックス部８ｂの側面とそれぞれ対向する一対の対向壁６ｂと、該対向壁６ｂの先端側を連結しつつ前記バンド係止ボックス部８ｂの上面（図３中、上面）と対向する連結壁６ｃとを有する。また、連結部６は、連結壁６ｃの両側から前記対向壁６ｂに沿って下方に延びてそれぞれ前記組み付け溝４ｃに嵌る一対の組み付け延出部６ｄを有する。また、連結部６の前記基壁６ａには、前記係止爪４ｄが嵌る爪嵌合凹部６ｅ（図５参照）が形成されている。
【００２０】
そして、連結部６は、前記組み付け延出部６ｄが被連結部４の前記組み付け溝４ｃに嵌るとともに、基壁６ａと組み付け延出部６ｄとの間に前記正面側突出部４ａが嵌るように（図４参照）、ベースワイヤハーネス２の外表面に沿った方向（本実施形態では外周の接線に沿った方向）から被連結部４に組み付けられる。なお、このとき連結部６は、前記連結壁６ｃにバンド係止ボックス部８ｂの上面が当接するように組み付けられ、その状態の連結部６は、前記爪嵌合凹部６ｅに前記係止爪４ｄが（組み付け方向の反対方向に）係合することで被連結部４からの抜け止めがなされる。また、組み付けられた状態の連結部６は、対向壁６ｂや組み付け延出部６ｄが、被連結部４の正面側突出部４ａや組み付け溝４ｃとベースワイヤハーネス２の長手方向（図４中、上下方向）に係合することになる。
【００２１】
また、本実施形態の連結部６は、ベースワイヤハーネス２の長手方向から見て該ベースワイヤハーネス２の外表面に沿った方向の直交方向（図８中、左右方向）に位置がずれている状態からの被連結部４への組み付けを案内する案内部としての開口案内部６ｆ及びハーネス摺接案内部６ｇを有する。なお、ここで言う案内とは、連結部６が前記直交方向（図８中、左右方向）に位置がずれている状態で外表面に沿った方向（組み付け方向であって、図８中、下方向）に移動されると前記直交方向の位置を、組み付けが可能となる位置に移動させることである。開口案内部６ｆは、基壁６ａと組み付け延出部６ｄの下端側（図８中、下端側）に形成され、下端に向かうほどそれらの間隔が広くなるように傾斜して形成されている。また、ハーネス摺接案内部６ｇは対向壁６ｂの先端部から膨出した膨出部６ｈの下端に形成され、その角をＲ形状とするように湾曲して形成されている。すなわち、ハーネス摺接案内部６ｇは、図８の２点鎖線で示すようにベースワイヤハーネス２に当接した位置から下方に移動されると該ベースワイヤハーネス２の外周面に摺接して、図８の実線で示すように連結部６を（図８中、左方向に）案内する。そして、開口案内部６ｆは、図８の実線で示すように配置された状態から下方に移動されると正面側突出部４ａと当接（摺接）して、基壁６ａと組み付け延出部６ｄとの間に正面側突出部４ａが嵌るように連結部６を（図８中、左方向に）案内する。
【００２２】
次に、上記のように構成された連結具１の作用について説明する。
例えば、ベースワイヤハーネス２に、車両のグレード等によってオプションワイヤハーネス３を追加して設ける場合、ベースワイヤハーネス２に固定された第１連結具５の被連結部４に、オプションワイヤハーネス３に固定された第２連結具７の連結部６を組み付けることでベースワイヤハーネス２とオプションワイヤハーネス３とを連結固定する。このようにすると、例えば、車体に対してベースワイヤハーネス２を固定すれば、オプションワイヤハーネス３もベースワイヤハーネス２を介して車体に固定される。
【００２３】
次に、上記実施の形態の効果を以下に記載する。
（１）ベースワイヤハーネス２に対して固定される第１連結具５が有する被連結部４に、オプションワイヤハーネス３に対して固定される第２連結具７が有する連結部６が組み付けられることでベースワイヤハーネス２とオプションワイヤハーネス３とが連結固定される。そして、連結部６は、ベースワイヤハーネス２の長手方向から見てベースワイヤハーネス２の外表面に沿った方向（外周の接線に沿った方向）から被連結部４に組み付けられて、ベースワイヤハーネス２の長手方向に被連結部４と係合するため、ベースワイヤハーネス２の長手方向にオプションワイヤハーネス３が相対移動してしまうことが防止される。その結果、例えば、オプションワイヤハーネス３が予め設定された位置からずれてしまうことによる他の部品との接触等が防止される。
【００２４】
（２）被連結部４には連結部６と係合して組み付けられた状態からの抜け止めとして機能する係止爪４ｄが設けられるため、ベースワイヤハーネス２の外表面に沿った方向にオプションワイヤハーネス３が相対移動してしまうことが防止される。
【００２５】
（３）連結部６は、ベースワイヤハーネス２の長手方向から見て該ベースワイヤハーネス２の外表面に沿った方向の直交方向（図８中、左右方向）に位置がずれている状態からの被連結部４への組み付けを案内する案内部としての開口案内部６ｆ及びハーネス摺接案内部６ｇを有するため、組み付け作業が容易となる。
【００２６】
（４）案内部は、ベースワイヤハーネス２の外表面に摺接して案内するハーネス摺接案内部６ｇを含むため、連結部６のハーネス摺接案内部６ｇをベースワイヤハーネス２の外表面に摺接させながら案内させて組み付けることができ、組み付け作業がより容易となる。すなわち、図８の２点鎖線に示すように、連結部６の位置を前記直交方向（図８中、右方向）に大きくずらして組み付け始めてもハーネス摺接案内部６ｇをベースワイヤハーネス２の外周面に摺接させることで被連結部４に容易に組み付けることができる。
【００２７】
（５）ハーネス摺接案内部６ｇは、連結部６におけるベースワイヤハーネス２の長手方向に対応した両端、すなわち、各対向壁６ｂに設けられるため、連結部６の一対のハーネス摺接案内部６ｇをベースワイヤハーネス２の外表面に摺接させながら安定して案内させて組み付けることができ、組み付け作業がより容易となる。
【００２８】
（６）第２連結具７は、連結部６からオプションワイヤハーネス３の長手方向の一方に沿って延びるハーネス固定部９を有し、該ハーネス固定部９でのみオプションワイヤハーネス３に固定されるため、オプションワイヤハーネス３の長手方向の他方向側は連結部６と対応した位置から曲げることが可能となる（図１参照）。
【００２９】
上記実施形態は、以下のように変更してもよい。
・上記実施形態では、被連結部４には連結部６と係合して組み付けられた状態からの抜け止めとして機能する係止爪４ｄが設けられるとしたが、同様に機能する係止爪を連結部６側に設けてもよいし、係止爪を設けずに圧入等の他の構成により組み付け状態が維持されるようにしてもよい。
【００３０】
・上記実施形態では、連結部６は、ベースワイヤハーネス２の長手方向から見て該ベースワイヤハーネス２の外表面に沿った方向の直交方向（図８中、左右方向）に位置がずれている状態からの被連結部４への組み付けを案内する案内部（開口案内部６ｆ及びハーネス摺接案内部６ｇ）を有するとしたが、案内部を有していない構成としてもよい。また、案内部としての開口案内部６ｆ及びハーネス摺接案内部６ｇのいずれか一方のみを有した構成としてもよいし、同様に機能する他の案内部を有した構成としてもよい。
【００３１】
・上記実施形態では、第２連結具７は、連結部６からオプションワイヤハーネス３の長手方向の一方に沿って延びるハーネス固定部９を有し、該ハーネス固定部９でのみオプションワイヤハーネス３に固定されるとしたが、これに限定されず、他の構成でオプションワイヤハーネス３に固定されるようにしてもよい。例えば、連結部６からオプションワイヤハーネス３の長手方向の他方に沿って延びるハーネス固定部を更に有し、両方のハーネス固定部でオプションワイヤハーネス３に固定されるようにしてもよい。また、第１連結具５に関しても、結束バンド部８以外の構成でベースワイヤハーネス２に固定されるようにしてもよい。
【００３２】
・上記実施形態では、ベースワイヤハーネス２及びオプションワイヤハーネス３は、断面が略円形に形成されたものであるとしたが、これに限定されず、断面が円形以外のベースワイヤハーネスやオプションワイヤハーネスとして具体化してもよい。
【００３３】
上記実施形態から把握できる技術的思想を以下に記載する。
（イ）前記第２連結具は、前記連結部から前記第２ワイヤハーネスの長手方向の一方に沿って延びるハーネス固定部を有し、該ハーネス固定部でのみ前記第２ワイヤハーネスに固定されることを特徴とする連結具。
【００３４】
同構成によれば、前記第２連結具は、前記連結部から前記第２ワイヤハーネスの長手方向の一方に沿って延びるハーネス固定部を有し、該ハーネス固定部でのみ前記第２ワイヤハーネスに固定されるため、第２ワイヤハーネスの長手方向の他方向側は連結部と対応した位置から曲げることが可能となる。
【符号の説明】
【００３５】
１…連結具
２…ベースワイヤハーネス（第１ワイヤハーネス）
３…オプションワイヤハーネス（第２ワイヤハーネス）
４…被連結部
４ｄ…係止爪
５…第１連結具
６…連結部
６ｆ…開口案内部（案内部）
６ｇ…ハーネス摺接案内部（案内部）
７…第２連結具
【図１】
2019161728.tif 000003
【図２】
2019161728.tif 000004
【図３】
2019161728.tif 000005
【図４】
2019161728.tif 000006
【図５】
2019161728.tif 000007
【図６】
2019161728.tif 000008
【図７】
2019161728.tif 000009
【図８】
2019161728.tif 000010